(57)【特許請求の範囲】
【請求項１】
株元側搬送部と穂先側搬送部とを有し、後方側を支点として上下回動する扱深さ搬送装置と、該扱深さ搬送装置の前方に傾斜状に設けられると共に該扱深さ搬送装置と一体的に上下動する穂先側掻込み搬送体とを設けたコンバインの穀稈搬送装置であって、該掻込み搬送体より所定間隔を存した下方位置において、穀稈が該掻込み搬送体の搬送経路Ｘと反対側、即ち掻込み搬送体の非作用側Ｙへ倒れないように保持案内する穀稈ガイドを設け、該穀稈ガイドを前記掻込み搬送体と一体的に上下動するように構成したことを特徴とするコンバインの穀稈搬送装置。
【請求項２】
前記穀稈ガイドは、側面視において該掻込み搬送体と略平行して延出していることを特徴とする請求項１に記載の穀稈搬送装置。
【請求項３】
機体の幅方向左右に掻込み搬送体を設けると共に、左側掻込み搬送体の下方に設けた穀稈ガイドの搬送方向終端側と該株元側搬送部に設けた株元チェ−ンガイドの搬送方向始端側とは平面視において交差していることを特徴とする請求項１、２いずれかに記載の穀稈搬送装置。
【請求項４】
前記穀稈ガイドは弾性部材から形成されており、該扱深さ搬送装置が所定位置より下がった時には、該穀稈ガイドが下方に位置する部材に当接することで変形することを特徴とする請求項１乃至３いずれかに記載の穀稈搬送装置。
【発明の詳細な説明】
【０００１】
【発明の属する技術分野】
本発明はコンバインにおける穀稈搬送装置に係り、詳しくは、穂先側掻込み搬送体の構造に関するものである。
【０００２】
【従来の技術】
従来、コンバインの刈取脱穀作業は、クロ−ラ走行装置を備えた機体の前部に穀稈引起し装置ａ、刈刃装置ｂ、掻込み装置ｃおよび扱深さ搬送装置ｄを搭載した前処理部ｅを架設し、機体の走行時において、穀稈引起し装置ａで引き起こした穀稈の株元を刈刃装置ｂで切断した後に、刈取られた穀稈を掻込み装置ｃから扱深さ搬送装置を経て穀稈供給チェ−ンｆに継送し、後続の脱穀部に刈取穀稈を供給するように構成されている。
【０００３】
刈取穀稈の稈長に応じて扱深さを自動調節して継送する扱深さ搬送装置ｄは、搬送タインｇを巻回して形成される穂先側搬送部ｈと、ガイドレ−ルに沿う搬送チェ−ンｉを巻回して形成される株元側搬送部ｊをそれぞれ上下位置に離間して構成されており、刈取穀稈の稈長に応じた扱深さの自動調節で扱深さ搬送装置ｄの上下動を行い、掻込み装置ｃの搬送チェ−ンｋを介して搬送される刈取穀稈の株元側が、扱深さ搬送装置ｄの搬送始端位置Ｘまで搬送された際には、該刈取穀稈の株元側を株元側搬送部ｊの搬送チェ−ンｉで挾持継送し、かつ刈取穀稈の穂先側を、穂先側搬送部ｊの搬送タインｇに継送させて、後続の穀稈供給チェ−ンｆに刈取穀稈を継送するようになっている。
【０００４】
そして、掻込み装置ｃから扱深さ搬送装置ｄに至る従来の継送構成では、掻込み装置ｃから扱深さ搬送装置ｄに至る間で刈取穀稈の穂先側を継送する掻込み搬送体ｍ、ｎが扱深さ搬送装置ｄから独立して固定されているため、稈長の長短により刈取穀稈の穂先部と掻込み搬送体ｍ、ｎとの位置関係が変化することによる搬送乱れを防止するために、掻込み搬送体ｍ、ｎを二段（ｍ１、ｍ２、ｎ１、ｎ２）に設けることで、稈長に対応した掻込み動作を行うようにしていた。しかしながら、掻込み搬送体を二段に設けることは、前処理部の重量増大を招くと共に、構成部品の増加による製造コストの上昇をも招いていた。
【０００５】
【発明が解決しようとする課題】
本発明は、前述したような不具合を解消するべく創案されたものであって、簡単な構成でありながら、掻込み装置から扱深さ搬送装置への穀稈の搬送を良好に行うと共に、さらには稈長の長短に対応して穀稈の良好な搬送をすることができるコンバインの穀稈搬送装置を提供することを目的とするものである。
【０００６】
【課題を解決するための手段】
上記目的を達成するために本発明が採用した技術手段は、株元側搬送部と穂先側搬送部とを有し、後方側を支点として上下回動する扱深さ搬送装置と、該扱深さ搬送装置の前方に傾斜状に設けられると共に該扱深さ搬送装置と一体的に上下動する穂先側掻込み搬送体とを設けたコンバインの穀稈搬送装置であって、該掻込み搬送体より所定間隔を存した下方位置において、穀稈が該掻込み搬送体の搬送経路Ｘと反対側、即ち掻込み搬送体の非作用側Ｙへ倒れないように保持案内する穀稈ガイドを設け、該穀稈ガイドを前記掻込み搬送体と一体的に上下動するように構成したことを特徴とするものである。
【０００７】
好ましくは、前記穀稈ガイドは、側面視において該掻込み搬送体と略平行して延出しており、さらに、機体の幅方向左右に掻込み搬送体を設けると共に、左側掻込み搬送体の下方に設けた穀稈ガイドの搬送方向終端側と該株元側搬送部に設けた株元チェ−ンガイドの搬送方向始端側とは平面視において交差していることを特徴とする。
【０００８】
好ましくは、前記穀稈ガイドは弾性部材から形成されており、該扱深さ搬送装置が所定位置より下がった時には、該穀稈ガイドが下方に位置する部材に当接することで変形するようにしたことを特徴とする。
【０００９】
【発明の実施の形態】
以下、本発明の実施の形態について図面に基いて詳細に説明する。図１はコンバインの前処理部の平面図、図２及び図３はコンバインの前処理部の側面図であり、クロ−ラ走行部１の上に搭載された機体２を備えた三条刈りのコンバインの機体前方には前処理部３が設けてある。前処理部３のフレ−ム３ａには穀稈引起し装置４が立上り状に設けてあり、またフレ−ム３ａの先端にはデバイダ５が設けてある。フレ−ム３ａの後端側には刈刃装置６が設けてあり、デバイダ５で分草された穀稈を穀稈引起し装置４で引き起こした後、刈刃装置６により株元側を切断し、掻込み装置を介して扱深さ搬送装置７へ搬送され、穀稈供給チェ−ン１６に継送され、図示しない脱穀部に搬送される。
【００１０】
掻込み装置は、スタ−ホイ−ル８ａ、８ｂ、８ｃと、掻込み搬送ベルト９ａ、９ｂ、９ｃと、株元搬送チェ−ン１０ａ、１０ｂと、穂先側掻込み搬送体１１ａ、１１ｂとを有する。搬送ベルト９ａ、９ｂ、９ｃはスタ−ホイ−ル８ａ、８ｂ、８ｃと同軸状に軸支された駆動プ−リとその前方に配設した従動プ−リとの間に巻回されていると共に、複数の掻込みタイン９０を所定間隔を存して突設してなる。スタ−ホイ−ル８ａ、８ｂ、８ｃは刈取穀稈の株元を搬送すると共に、搬送ベルト９ａ、９ｂ、９ｃは刈取穀稈の中間部を搬送する。株元搬送チェ−ン１０ａ、１０ｂは、該駆動プ−リの下位においてこれと同軸状に巻回すると共に、扱深さ搬送装置７の搬送始端部位まで延出しており、刈取穀稈の株元を搬送するようになっている。
【００１１】
図４に拡大して示すように、掻込み搬送体１１ａ、１１ｂは複数の搬送タイン１１０を備えた回転体からなり、穀稈の穂先側を掻込み案内するようにしている。掻込み搬送体１１ａ、１１ｂは機体の幅方向左右に設けてあり、搬送タイン１１０の回動軌跡は、株元搬送チェ−ン１０ａ、１０ｂの搬送方向と略同一方向に延出しており、穀稈搬送方向に向かって（機体後方に向かって）漸次近接するように配設されている。
【００１２】
各掻込み搬送体１１ａ、１１ｂの下方には穀稈ガイド１２ａ、１２ｂが掻込み搬送体１１ａ、１１ｂに一体的に設けてある。穀稈ガイド１２ａ、１２ｂは棒状部材であり、一端側を掻込み搬送体１１ａ、１１ｂの後方側に装着すると共に、掻込み搬送体１１ａ、１１ｂの搬送タイン１１０の回転軌跡（穀稈の搬送経路Ｘ）に沿うようにして機体前方に向かって延出させてなり、他端を自由端としている。図２に示すように、穀稈ガイド１２ａ、１２ｂは掻込み搬送体１１ａ、１１ｂの下方に所定間隔を存して略平行状に延出しており、引き起こし装置４で起こされた稈が掻込み搬送体１１ａ、１１ｂの非作用側Ｙ（掻込み搬送体１１ａ、１１ｂの搬送経路Ｘと反対側である搬送タイン１１０の回動軌跡の及ばない範囲）へ倒れないように保持案内する作用をする。
【００１３】
扱深さ搬送装置７は、搬送タイン７０を備えたベルト体を有する穂先側搬送部７ａと、ガイド７０ａに沿う搬送チェ−ン７０ｂを有する株元側搬送部７ｂとからなり、図示しない稈長検出機構で稈長が検出され、該検出信号によって扱深さ搬送装置７を刈取部の伝動軸１７（扱深さ搬送装置７の後方側に位置している）を支点として上下回動するように構成されている。例えば、稈長が短い場合には扱深さ搬送装置７は前方側が下方に回動した深扱状態となる。
【００１４】
図５に示すように、一側の掻込み搬送体１１ａは、穂先側搬送部７ａの先端部上面に一体的に設けてあり、他側の掻込み搬送体１１ｂは支持パイプ１３を介して扱深さ搬送装置７に連結されており、掻込み搬送体１１ａ、１１ｂは扱深さ搬送装置７の前方に傾斜状に配設してあると共に、扱深さ搬送装置７と一体的に上下回動するようになっている。したがって、扱深さ調整による扱深さ搬送装置７の上下回動に連繋して掻込み搬送体１１ａ、１１ｂが一体に上下回動するので、従来のように穂先側掻込み搬送体を複数段に配設することなく、良好に穀稈を案内搬送することができる。
【００１５】
さらに、掻込み搬送体１１ａ、１１ｂの下方には穀稈ガイド１２ａ、１２ｂが一体的に設けてあるので、掻込み搬送体１１ａ、１１ｂの上下回動に伴って穀稈ガイド１２ａ、１２ｂは掻込み搬送体１１ａ、１１ｂとの関係を維持しながら上下動して、穀稈が掻込み搬送体１１ａ、１１ｂの非作用側Ｙへ倒れることを防止し、良好に穀稈を案内する。
【００１６】
穀稈ガイド１２ａ、１２ｂについて詳述すると、一端を掻込み搬送体１１ａ、１１ｂの後方側の下方に装着し、掻込み搬送体１１ａ、１１ｂによる掻込み動作を妨げないようにして、下方かつ後方へ折曲しながら螺旋状に延出し、掻込み搬送体１１ａ、１１ｂの作用面（搬送タイン１１０の回転軌跡）に略沿った形状で、かつ側面視において掻込み搬送体１１ａ、１１ｂと略平行状に前方へ延出している。機体進行方向における左側掻込み搬送体１１ｂの穀稈ガイド１２ｂは、株元搬送装部７ｂの株元チェ−ンガイド７０ａと交差させるように螺旋状に下方へ下げてある。
【００１７】
穀稈ガイド１２ａ、１２ｂは弾性部材で形成されており、さらには前方端部が自由端であり、したがってガイド先端の変位をより小さな荷重で行うことができ、特別なストッパ−を別途設ける必要がなく、ガイド自体が永久変形することもない。図３に示すように、扱深さ搬送装置７が所定位置より下がった時には、穀稈ガイド１２ａ、１２ｂが下方に位置する部材に当接することで変形するので、扱深さ最深状態（搬送体下限位置）を大きく採ること、換言すれば扱深さ搬送装置７の上下の可動範囲を大きく採ることができる。
【００１８】
図示のものでは、扱深さ搬送装置７が下方に回動した場合には、穀稈ガイド１２ａは掻込み搬送ベルト９ａの上部カバ−１４に当接し、穀稈ガイド１２ｂは株元搬送チェ−ン１０ｂのチェ−ンガイド（図示せず）を支持する支持フレ−ム１５にそれぞれ当接することで変形する。もっとも、穀稈ガイド１２ａ、１２ｂが当接する部材はこれらには限定されず、要は、それに穀稈ガイドが当接することで穀稈ガイドが変形するものであればよい。
【００１９】
このように構成された穀稈搬送装置において、図２に示すように扱深さ搬送装置７が上位にある場合（長稈の場合）には、穀稈ガイド１２ａ、１２ｂは穂先側掻込み搬送体１１ａ、１１ｂと略平行状であり、ガイド１２ａ、１２ｂに沿って穀稈が移動する。図示しない扱深さセンサの検知によって扱深さ搬送装置７が下方に回動した場合には、扱深さ搬送装置７と一体である掻込み搬送体１１ａ、１１ｂが下方に移動し、さらに掻込み搬送体１１ａ、１１ｂと一体である穀稈ガイド１２ａ、１２ｂも下方に移動する。この過程においても、穀稈ガイド１２ａ、１２ｂは掻込み搬送体１１ａ、１１ｂと側面視平行状に延出している。
【００２０】
さらに、扱深さ搬送装置７が下方に回動すると、穀稈ガイド１２ａ、１２ｂの前方側端部が掻込み搬送ベルトの上部カバ−１４、支持フレ−ム１５にそれぞれ当接するが、穀稈ガイド１２ａ、１２ｂは棒状のバネ材から構成されているので、穀稈ガイド１２ａ、１２ｂがさらに変形することにより、扱深さ搬送装置７はさらに下方に回動することができる。
【００２１】
【発明の効果】
請求項１及び２に記載したものでは、穂先側掻込み搬送体より所定間隔を存した下方位置において、穀稈が該掻込み搬送体の搬送経路と反対側、即ち掻込み搬送体の非作用側へ倒れないように保持案内する穀稈ガイドを設け、該穀稈ガイドを前記掻込み搬送体と一体的に上下動するように構成したので、該穀稈ガイドが引き起こされた穀稈の姿勢を保持し、該穀稈が穂先側掻込み搬送体が作用しない側へ倒れるのを規制することができる。しかも、穀稈ガイドは掻込み搬送体に一体的に設けてあるので、掻込み搬送体との位置関係を維持した状態で上下動することができ、穂先遅れ等により掻込み搬送体に掛かり損ねる穀稈が生じて搬送乱れが起きることを可及的に防止することができ、刈取穀稈の整然な搬送を可能とする。
【００２２】
請求項３に記載したものでは、掻込み部から扱深さ搬送装置への継送を円滑に行うことができ、もって掻込み部から株元搬送チェ−ンまでの穀稈の搬送を円滑かつ良好に行うことができる。
【００２３】
請求項４に記載したものでは、穀稈ガイドは弾性部材から形成されており、該扱深さ搬送装置が所定位置より下がった時には、該穀稈ガイドが下方に位置する部材に当接することで変形するので、扱深さ搬送装置の上下可動範囲（特に下方への移動）を大きく採ることができる。
【図面の簡単な説明】
【図１】コンバインの前処理部の平面図である。
【図２】コンバインの前処理部の側面図であり、扱深さ搬送装置が上位にある場合を示している。
【図３】コンバインの前処理部の側面図であり、扱深さ搬送装置が下位にある場合を示している。
【図４】掻込み搬送体及び穀稈ガイドを示す部分平面図である。
【図５】掻込み搬送体と扱深さ搬送装置の連携を示す図であって、穀稈ガイドは省略されている。
【図６】従来の穀稈搬送装置を示す平面図である。
【符号の説明】
７      扱深さ搬送装置
７ａ    穂先側搬送部
７ｂ    株元側搬送部
７０ａ  株元チェ−ンガイド
１１ａ  穂先側掻込み搬送体
１１ｂ  穂先側掻込み搬送体
１２ａ  穀稈ガイド
１２ｂ  穀稈ガイド
【図１】
0003775923.tif 000002
【図２】
0003775923.tif 000003
【図３】
0003775923.tif 000004
【図４】
0003775923.tif 000005
【図５】
0003775923.tif 000006
【図６】
0003775923.tif 000007